【事件の表示】
　特願２０１４−２５５８２９「生体インピーダンス測定装置およびその装置で電極がどのように使用されているかを判断する方法」拒絶査定不服審判事件〔平成２８年　５月　９日出願公開、特開２０１６−　６７８７７〕について、次のとおり審決する。
【結　論】
　本件審判の請求は、成り立たない。
【理　由】
第１　手続の経緯
　本願は、平成２６年１２月１８日（パリ条約による優先権主張　２０１４年９月２５日　 韓国）の出願であって、平成２７年１１月１２日付けで拒絶理由が通知され、平成２８年４月１５日付けで意見書及び手続補正書が提出され、同年８月２６日付けで拒絶査定されたところ、同年１２月２２日に拒絶査定不服審判の請求がなされ、同時に手続補正がなされたものである。
第２　平成２８年１２月２２日にされた手続補正についての補正の却下の決定
［補正の却下の結論］
　平成２８年１２月２２日にされた手続補正（以下、「本件補正」という。）を却下する。
［理由］
１　補正の内容
（１）本件補正後の特許請求の範囲の記載
　本件補正により、特許請求の範囲の請求項１の記載は、次のとおり補正された（下線は、請求人が付与したものであり、補正箇所を示す。以下、本件補正後の請求項１に記載された発明を「本件補正発明」という。）。
「　　【請求項１】
生体インピーダンス測定装置であって、前記装置が、生体インピーダンス測定のための複数の電極と、
前記複数の電極のうち少なくとも一部の電極を電流電極にスイッチングしたり、電圧電極にスイッチングしたり、オープンしたりするスイッチと、
前記スイッチの動作を制御する制御部と、
を含み、
前記複数の電極のうち身体と接触している電極をどのように使用するかを判断し、
前記制御部は前記身体と接触していない電極をオープンするように前記スイッチを動作
し、  
前記制御部は身体と接触していない電極がオープンされるように、電流電極にスイッチングするための電流印加部及び電圧電極にスイッチングするための電圧測定部ではない、別の位置に接続されるように前記スイッチを制御する
（２）本件補正前の特許請求の範囲の記載
　本件補正前の、平成２８年８月２６日にされた手続補正により補正された特許請求の範囲の請求項１の記載は次のとおりである。
「　　【請求項１】
生体インピーダンス測定装置であって、前記装置が、生体インピーダンス測定のための複数の電極と、
前記複数の電極のうち少なくとも一部の電極を電流電極にスイッチングしたり、電圧電極にスイッチングしたり、オープンしたりするスイッチと、
前記スイッチの動作を制御する制御部と、
を含み、
前記複数の電極のうち身体と接触している電極をどのように使用するかを判断し、 前記制御部は前記身体と接触していない電極をオープンするように前記スイッチを動作する
生体インピーダンス測定装置。」
２　補正の適否
（１）　本件補正の補正事項について
　本件補正の補正事項は、以下のとおりである。
（補正事項）「制御部」が「身体と接触していない電極がオープンされるように、電流電極にスイッチングするための電流印加部及び電圧電極にスイッチングするための電圧測定部ではない、別の位置に接続されるように前記スイッチを制御する」ことを限定する。
　以下において、当該補正事項が、願書に最初に添付した明細書、特許請求の範囲又は図面（以下「当初明細書等」という。）に明示的に記載されている事項又は当初明細書等の記載から自明な事項であるか否かを検討する。
（２）　本願の当初明細書等に記載された事項
　当初明細書等には、以下の記載がある。
ア　「【発明の概要】
【発明が解決しようとする課題】
【０００６】
本明細書に記載された多様な実施形態は、生体インピーダンス測定装置に接触している被測定者の多様な身体部位の生体インピーダンスを精密に測定することができる生体インピーダンス測定装置を提供することを目的とする。
【課題を解決するための手段】
【０００７】
本発明の一実施形態によると、生体インピーダンス測定装置は、生体インピーダンス測定のために複数の電極を提供し、提供された複数の電極のうち身体と接触した電極がどのように使用されているかを判断する。
　・・・
【０００９】
前記生体インピーダンス測定装置は、身体と接触している電極を電流電極にスイッチングしたり、前記電極を電圧電極にスイッチングしたり、オープンしたりするスイッチが前記電極とインピーダンス測定回路の間に備えられ、前記スイッチの動作に基づいて前記電極がどのように使用されているかを判断してもよい。
　・・・
【００１６】
さらに、本明細書に記載された多様な実施形態によると、被測定者の身体が接触していない電極をオープンすることにより、生体インピーダンス測定の精密度を向上させることができる。」
イ　「【図面の簡単な説明】
【００１７】
　・・・
【図３】一実施形態に係る生体インピーダンス測定装置を示したブロック図である。」
ウ　「【００３８】
図３は、一実施形態に係る生体インピーダンス測定装置を示したブロック図である。
【００３９】
図３を参照すると、生体インピーダンス測定装置は、電極１１０およびスイッチ１２０を備える。また、生体インピーダンス測定装置は、制御部１３０、電流印加部１４０、電圧測定部１５０、およびインピーダンス測定回路１６０を備えてもよい。
【００４０】
電極１１０は、生体インピーダンスを測定するために足板１０やパッド２０、３０に露出させてもよい。電極は、再設定可能な（ｒｅｃｏｎｆｉｇｕｒａｂｌｅ）電極であってもよい。すなわち、電極１１０は、その特性が被測定者の電圧を測定する電圧電極であるか、被測定者に電流を印加する電流電極であるかに特定されない電極であってもよい。電極１１０は被測定者の身体と接触する導体であり、スイッチ１２０のスイッチング動作に応じてその特性が決定されてもよい。
【００４１】
スイッチ１２０は、電極１１０の特性を決める。すなわち、スイッチは、電極１１０を電流電極にスイッチングしたり、電極１１０を電圧電極にスイッチングしたりしてもよい。さらに、スイッチは、電極１１０をオープンしてもよい。
【００４２】
スイッチ１２０は、電極１１０を電流印加部１４０と接続させることによって電極１１０を電流電極にスイッチングしてもよい。また、スイッチ１２０は、電極１１０を電圧測定部１５０と接続させることによって電極１１０を電圧電極にスイッチングしてもよい。スイッチ１２０は、電極１１０とインピーダンス測定回路１６０の間に位置してもよい。
　・・・
【００４６】
制御部１３０は、スイッチ１２０のスイッチング動作を制御する。
【００４７】
制御部１３０は、スイッチ１２０が電流電極として動作するように、スイッチ１２０を電流印加部１４０に接続してもよい。また、制御部１３０は、スイッチが電圧電極として動作するように、スイッチ１２０を電圧測定部１５０に接続してもよい。さらに、制御部１３０は、スイッチをオープンしてもよい。
【００４８】
制御部１３０は、生体インピーダンスを測定するために、足板１０やパッド２０、３０に置かれた被測定者の身体の位置に応じ、被測定者の身体が接触している電極１１０を感知してもよい。被測定者の身体は、被測定者の足、腹部、腕、脚などであってもよい。制御部１３０は、感知結果に基づき、スイッチ１２０が電極１１０を電流電極にスイッチングしたり、電極１１０を電圧電極にスイッチングしたり、オープンしたりするようにスイッチ１２０を制御してもよい。
【００４９】
例えば、制御部１３０は、被測定者の身体が接触している電極１１０を電流電極にスイッチングしたり、電極１１０を電圧電極にスイッチングしたりし、被測定者の身体が接触していない電極１１０はオープンするようにスイッチ１２０を制御してもよい。
【００５０】
このように、本発明の生体インピーダンス測定装置は、電極１１０を再設定することによって電圧電極と電流電極を十分に離隔させることができるため、生体インピーダンス測定の精密度を向上させることができる。また、本発明の生体インピーダンス測定装置は、足の大きさに応じて電極１１０をスイッチングするため、被測定者は足の位置を調整するための努力をしなくとも、便利に生体インピーダンスを測定することができる。また、本発明の生体インピーダンス測定装置は、足の大きさに関係なく生体インピーダンスを精密に測定することができる。さらに、本発明の生体インピーダンス測定装置は、接触していない電極をオープンすることによって生体インピーダンス測定の精密度を向上させ、生体インピーダンス測定によって消費する電力の効率を高めることができる。」
エ　「【００５５】
電極１１０は、被測定者の足の大きさを考慮して十分に広く配置されてもよい。電極１１０が被測定者の足の大きさに比べて広く配置された場合でも、電極１１０は被測定者の身体が接触した領域でのみ電圧電極または電流電極として動作するため、被測定者の身体部位に関係なく生体インピーダンスを精密に分析することができる。
　・・・
【００５９】
足板１０の全体に配列された電極１１０のうち、被測定者の身体が感知された電極１１０だけが活性化するが、そのうち一部は電圧電極に、他の一部は電流電極にスイッチングされてもよい。したがって、本発明の電極１１０は、足板１０またはパッド２０、３０の上面全体に配列されていても被測定者の身体部位の位置と大きさを認識し、被測定者の生体インピーダンスを精密に測定することができる。」
オ　「【００６３】
図６は、一実施形態に係る生体インピーダンス測定装置の動作方法を示したフローチャートである。
【００６４】
図６を参照すると、ステップ３１０で、生体インピーダンス測定装置は、生体インピーダンス測定のために複数の電極を提供する。
【００６５】
ステップ３２０で、生体インピーダンス測定装置は、提供された複数の電極のうち身体と接触している電極１１０がどのように使用されているかを判断する。生体インピーダンス測定装置は、生体インピーダンスを測定するために提供された複数の電極１１０のうち身体と接触している電極を感知してもよい。このとき、電極に接触する身体は、足の裏、手の平、足首、腰、胴体、上腕、太もものうちの１つであってもよく、どのように使用されているかが判断される電極は、提供された複数の電極のうち、足の裏、手の平、足首、腰、胴体、上腕、太もものうちの１つと接触することによって感知された電極であってもよい。生体インピーダンス測定装置は、感知結果に基づいて電極１１０がどのように使用されているかを判断してもよい。
【００６６】
生体インピーダンス測定装置は、複数の電極１１０のうち少なくとも一部を電流電極にスイッチングしたり、電圧電極にスイッチングしたり、オープンしたりしてもよい。身体と接触している電極を電流電極にスイッチングしたり、電極を電圧電極にスイッチングしたり、オープンしたりするスイッチは、電極とインピーダンス測定回路の間に備えられてもよい。生体インピーダンス測定装置は、スイッチの動作に基づいて電極がどのように使用されているかを判断してもよい。
【００６７】
生体インピーダンス測定装置は、身体と接触している電極を感知し、身体の長さを測定してもよい。また、生体インピーダンス測定装置は、身体と接触している電極の個数および電極間の間隔に基づいて身体の長さを測定してもよい。生体インピーダンス測定装置は、さらに生体インピーダンスに基づいて身体の長さを測定してもよい。
【００６８】
ステップ３２０は、足が接触している電極のうち、第１領域に位置した電極は電流電極にスイッチングし、第２領域に位置した電極は電圧電極にスイッチングすることを含んでもよい。このとき、第１領域と第２領域は、足が接触している領域内で互いに離隔して位置してよい。
【００６９】
さらに、ステップ３２０は、足が接触していない電極をオープンすることを含んでもよい。したがって、本発明の生体インピーダンス測定装置は、足が接触していない電極をオープンすることにより、生体インピーダンス測定によって消費する電力の効率を高めることができる。」
カ　図３は、以下のようなものである。
キ　図６は、以下のようなものである。
（３）　判断
ア　当初明細書等には、「身体と接触していない電極がオープンされるように、電流電極にスイッチングするための電流印加部及び電圧電極にスイッチングするための電圧測定部ではない、別の位置に接続されるように前記スイッチを制御する」ことについての明示的な記載はない。
イ　「身体と接触していない電極」に関するスイッチの制御について、当初明細書等には、「被測定者の身体が接触していない電極をオープンする」（【００１６】段落）、「被測定者の身体が接触していない電極１１０はオープンするようにスイッチ１２０を制御してもよい」（【００４９】段落）、「本発明の生体インピーダンス測定装置は、接触していない電極をオープンする」（【００５０】段落）、及び「足が接触していない電極をオープンする」（【００６９】段落）との記載がある。
ウ　そこで、当初明細書等における「電極をオープンする」ことが、「電流電極にスイッチングするための電流印加部及び電圧電極にスイッチングするための電圧測定部ではない、別の位置に接続される」ことを意味しているかどうかについて、検討する。
（ア）　当初明細書等の発明の詳細な説明には、「電極をオープンする」とは、スイッチをどのような状態とすることであるかについて、明確な定義がされていない。
　特に、発明の詳細な説明において、「電極をオープンする」ことが、電極を何らかの回路や接点に接続させることであるとの記載もない。
（イ）　当初明細書等の図３からは、「スイッチ（１２０）」として示された矩形の領域内に、「ＯＰＥＮ」と記された、端子を示すと思われる丸印が読み取れる。
　ここで、図３は、【００１７】段落及び【００３８】段落に記載されているように、「一実施形態に係る生体インピーダンス測定装置を示したブロック図」である。
　そして、当業者にとって、「ブロック図」とは、実際の回路部品のつながりを示す「回路図」とは異なり、信号の流れや部分の機能が分かりやすいように表現した図であり、ブロック図上で１つのブロックとして表された機能が実際には複数個の回路部品を組み合わせて実現されることがあることは、技術常識である。
　したがって、「ブロック図」である図３に記載された、「スイッチ１２０」は、当該図３に記されたとおりに信号の流れを切り替えるスイッチ機能を有する回路ブロックを表わしたものでしかなく、図３から、「スイッチ１２０」のスイッチング機能を実現する具体的な回路部品として、電流印加部でも電圧測定部でもない「別の位置に接続」できるスイッチ部品が記載されていることは読み取れない。
　なお、当業者にとって、図３のブロック図に示されたスイッチ１２０の機能を実現するための実際の回路部品の配置として、例えば、電極１１０と電流印加部１４０との間にトランジスタ等の半導体スイッチを配置し、電極１１０と電圧測定部１５０との間にも別のトランジスタ等の半導体スイッチを配置し、両方の半導体スイッチをともにＯＦＦ状態とすることで、図３のブロック図においてスイッチ１２０を「ＯＰＥＮ」端子に切り替えた場合と等価な信号の流れを実現することが想定されうる。
（ウ）　上記（ア）−（イ）から、当初明細書等において、「電極をオープンする」ことが、「電流電極にスイッチングするための電流印加部及び電圧電極にスイッチングするための電圧測定部ではない、別の位置に接続される」ことを意味していることは自明であるとはいえない。
エ　【００５５】段落には、「電極１１０は被測定者の身体が接触した領域でのみ電圧電極または電流電極として動作する」との記載があり、また、【００５９】段落には、「足板１０の全体に配列された電極１１０のうち、被測定者の身体が感知された電極１１０だけが活性化する」との記載がある。
　当該記載からは、「身体と接触していない電極」が「電圧電極または電流電極として動作」せずまた「活性化」しないことが示唆されているといえる。
　しかしながら、「電圧電極または電流電極として動作」せずまた「活性化」しないとは、当業者にとって、電極１１０は「電圧測定部１５０」にも「電流印加部１４０」にも接続されていない状態であることが推測されるにとどまる。
　したがって、【００５５】段落、【００５９】段落の記載を参酌しても、「身体と接触していない電極が」「電流電極にスイッチングするための電流印加部及び電圧電極にスイッチングするための電圧測定部ではない、別の位置に接続される」ことが自明であるとはいえない。
オ　ア−エから、「身体と接触していない電極」が「電流電極にスイッチングするための電流印加部及び電圧電極にスイッチングするための電圧測定部ではない、別の位置に接続される」ことが、当初明細書等の記載から自明である事項とは認められない。
　すると、「身体と接触していない電極」が「電流電極にスイッチングするための電流印加部及び電圧電極にスイッチングするための電圧測定部ではない、別の位置に接続される」という事項を含む上記補正事項が、当初明細書等に明示的に記載されている事項でも、当初明細書等の記載から自明である事項でもないから、当該補正事項を含む本件補正は、当初明細書等のすべての記載を総合することにより導かれる技術的事項との関係において、新たな技術的事項を導入しないものとはいえない。
　したがって、当該補正事項を含む本件補正は、当初明細書等に記載した事項の範囲内においてしたものでないから、特許法第１７条の２第３項に規定する要件を満たしていない。
３　本件補正についてのむすび
　以上のとおり、本件補正は、特許法第１７条の２第３項の規定に違反してなされたものであるから、同法第１５９条第１項において読み替えて準用する同法第５３条第１項の規定により却下すべきものである。
　よって、上記補正の却下の決定の結論のとおり決定する。
第３　本願発明について
１　本願発明
　平成２８年１２月２２日にされた手続補正は、上記のとおり却下されたので、本願の請求項１−１４に係る発明は、平成２８年８月２６日にされた手続補正により補正された特許請求の範囲の請求項１−１４に記載された事項により特定されるものであるところ、その請求項１に係る発明（以下「本願発明」という。）は、上記第２［理由］１（２）に記載のとおりのものであり、以下のとおり、当審にて分節しＡ）〜Ｇ）の見出しを付けた。
「　　【請求項１】
Ａ）生体インピーダンス測定装置であって、
Ｂ）前記装置が、生体インピーダンス測定のための複数の電極と、
Ｃ）前記複数の電極のうち少なくとも一部の電極を電流電極にスイッチングしたり、電圧電極にスイッチングしたり、オープンしたりするスイッチと、
Ｄ）前記スイッチの動作を制御する制御部と、を含み、
Ｅ）前記複数の電極のうち身体と接触している電極をどのように使用するかを判断し、 
Ｆ）前記制御部は前記身体と接触していない電極をオープンするように前記スイッチを動作する
Ｇ）生体インピーダンス測定装置。」
２　引用文献・引用発明等
（１）引用文献１に記載された事項　
　原査定の拒絶の理由で引用された引用文献１（特開２００５−２３０３９２号公報）には、以下の記載がある。
（引１ａ）「【技術分野】
【０００１】
　本発明は、被験体の足裏に電極を接触させてインピーダンスを測定するインピーダンス測定装置及び体組成測定装置に関するものである。
　・・・
【発明の開示】
【発明が解決しようとする課題】
【０００６】
　しかしながら、人及び四足動物とで共用でき、且つ両者を自動で識別可能なインピーダンス測定装置はなかった。これは、インピーダンス測定電極の配置が人用の測定装置と動物用の測定装置とでは異なることがあげられる。
　・・・
【００１０】
　従って本発明は上述の問題点を解決し、被験体の足裏と測定電極との接触状態によって、被験体が人か動物かを自動判別し、各々に応じたインピーダンスを測定し、前記インピーダンスに基づいて体組成データを算出する人及び動物共用のインピーダンス測定装置及び体組成測定装置を提供する。
【課題を解決するための手段】
【００１１】
　上記課題を解決するために本発明は、
人及び足裏に肉球を有する四足動物を被験体とし、前記被験体の足裏に電極を接触させて生体インピーダンスを測定するインピーダンス測定装置であって、前記被験体に応じて接触状態の異なる複数の電極から成る電極群と、前記複数の電極の内、被験体の足裏に接触している電極を検出する検出手段と
を有する
（引１ｂ）「【００３９】
　まず図１より、体組成測定装置１は公知の体重測定部２、測定ガイドや測定結果等を表示する表示部３、被験体の身体情報の数値入力等を行なうＵＰ／ＤＯＷＮキー及び決定キーから成る操作部４及び電源オン／オフスイッチを兼ねており、被験体の身体情報や測定データ等を呼び出すために被験体毎に割り当てた割り当てキー群６を備え、更に前記体重測定部２の載置面上に、短冊状の電極を複数配して成る電極群を左足裏に接触させる電極群と右足裏に接触させる電極群とを別々に設け、各々左足側電極群５ａ及び右足側電極群５ｂとして配した。前記左足側電極群は５ａ１から５ａｎまでｎ個の電極を並べて配して成り、同じく右足側電極群は５ｂ１から５ｂｎまでｎ個の電極を配して構成するものである。
【００４０】
　また、図２の電気ブロック図を用いて構成を説明する。
前記左足側電極群５ａ及び右足側電極群５ｂを構成する各ｎ個の電極が各々独立に、インピーダンス測定又は後述する電極の検出において電極特性を切り替える切替部１１を介して制御部１２に接続され
【００４１】
　また、前記電流印加部１３は、前記各電極群５ａ及び５ｂを構成する各電極の内、２電極間の通電の可否により、前記被験体の足裏が接触している電極を検出する通電検出部１５を介して制御部１２に接続されている。更に、前記通電を検出された電極の接触状態に基づいて、載置面上の被験体が人か動物かを自動で判別する判別部１６、測定に関するデータを記憶しておきデータの格納及び読み込み可能な記憶部１７及び測定データを演算する演算部１８が各々制御部１２に接続されている。更に制御部１２は、前記体重測定部２、表示部３、操作部４及び割り当てキー群６に各々接続し、体組成測定装置１に電力を供給する電源１９を備えて構成する。
　・・・
【００４７】
　体重値が記憶されると、ステップＳ７及びステップＳ８において、図４を用いて後述する、被験体の足裏に接触している電極の検出が成される。
【００４８】
　電極が検出されると、ステップＳ９において、図５を用いて後述する、前記検出された電極の接触状態に基づいて、被験体が人であるか動物であるかの判別と、判別された被験体に応じて、前記制御部１２により切替部１１を制御し、前記被験体の足裏に接触している電極と、電流印加部１３及び電圧測定部１４との接続を切り替えることにより、被験体に適するインピーダンス測定モードを選択する。
【００４９】
　前記電極切り替えにより、インピーダンス測定モードが選択されると、ステップＳ１０において、前記インピーダンス測定モードに従って、人又は四足動物の内何れかの前記
４電極法を用いたインピーダンス測定が成され
（引１ｃ）「【００６５】
　また、図５を用いて、前記図３のステップＳ９において、前記検出された電極に基づく被験体判別及び前記被験体に適する測定モードへの電極切り替え動作を説明する。
【００６６】
　図５ステップＳ３１において、前記接触が検出された左足側電極５ａｋ及び右足側電極５ｂｋを記憶部１７から読み込み、続くステップＳ３２において前記電極から足裏との接触状態が判定される。ここで前記接触状態の判定は、人の場合足裏が２つであり、四足動物の場合足裏が４つであることから、前記
左足側電極群５ａ及び右足側電極群５ｂの各々において、接触が検出された電極の内、隣り合う電極が連続して検出された１群を１接触群として、
【００６７】
　従って、図６に示すように、左右共に１接触群ずつ検出された場合、全電極群において接触群は２つ、すなわち体脂肪測定装置１上に載置されている足裏は２つであると判断し、ステップＳ３３において被験体は人であると判断する。
【００６８】
　また、図７に示したように、左右共に２接触群ずつ検出された場合、前述と同様に全電極群において接触群は４つ、すなわち検出された足裏は４つであると判断し、ステップＳ３５において、被験体は左右各々に前脚及び後脚を有する四足動物であると判断する。
【００６９】
　更に前記以外の接触群が検出された場合、ステップＳ３７において、検出不良として表示部３にエラー表示し、予め設定した一定時間後に自動で電源オフして終了する。
【００７０】
　ステップＳ３３において被験体が人と判断されると、ステップＳ３４において、両足の爪先付近を電流印加電極側とし、踵付近を電圧測定電極側として公知の４電極法による、人用のインピーダンス測定モードへの電極切り替えが成される。
【００７１】
　前記図６に示すように、まず、
左足側電極群５ａにおいて、前記１接触群として検出された電極の内、両端の電極５ａ
ｋ（ｍｉｎ）
及び５ａ
ｋ（ｍａｘ）
を、爪先側及び踵側に接触している電極と見なして記憶部１７より読み込み、前記制御部１２により切替部１１を制御し、電極５ａ
ｋ（ｍｉｎ）
を電流印加部１３に接続し、電極５ａ
ｋ（ｍａｘ）
を電圧測定部１４に接続して左足側の電極を設定する
【００７２】
　また、
右足側電極群５ｂにおいても、前述と同様にして、５ｂ
ｋ（ｍｉｎ）
を爪先側に接触している電極として電流印加部１３に接続し、５ｂ
ｋ（ｍａｘ）
を踵側に接触している電極として電圧測定部１４に接続し、インピーダンス測定電極を設定する
【００７３】
　また、ステップＳ３５において被験体が四足動物であると判断されると、ステップＳ３６において、図１６を用いて前述した測定原理に基づいて、４電極法を用いた四足動物用のインピーダンス測定モードへの電極切り替えが成される。すなわち、左前後足裏側を電流印加電極側として動物の体幹部を介して左前後足裏間に電流を印加し、逆側の右前後足裏側を電圧測定電極側として右前後足裏間における電圧を測定することにより、四肢の抵抗の影響を受けずに被験体の体幹部インピーダンスを測定するものである。
【００７４】
　従って、前記図７に示したように、左足側電極群５ａにおいて、前記足裏との接触が検出された電極の内、両端の電極５ａｋ（ｍｉｎ）及び５ａｋ（ｍａｘ）を、前脚及び後脚の足裏に接触している電極として記憶部１７より読み込み、前記制御部１２により切替部１１を制御し、電極５ａｋ（ｍｉｎ）及び５ａｋ（ｍａｘ）を電流印加部１３に接続して左足側の電極を設定する。
【００７５】
　また、右足側電極群５ｂにおいても、前述と同様にして、検出された内の両端の電極５ｂｋ（ｍｉｎ）及び５ｂｋ（ｍａｘ）を電圧測定部１４に接続して、インピーダンス測定電極を設定する。
【００７６】
　前記ステップＳ３４及びステップＳ３６においてインピーダンス測定電極が決定すると、図３のメインフローチャートへ戻る。
【００７７】
　なお、本実施例において、インピーダンス測定電極は、図３のステップＳ９、すなわち図５を用いて示したサブルーチンのステップＳ３４及びステップＳ３６により、前記各接触群の端部を示す、電極５ａｋ（ｍｉｎ）及び５ａｋ（ｍａｘ）と電極５ｂｋ（ｍｉｎ）及び５ｂｋ（ｍａｘ）とをインピーダンス測定電極として設定したが、前記１接触群が３つ以上の電極から成る場合、前記端部の電極よりも、より確実に足裏に接触している内側の電極を選択する方が望ましい。例えば、５ａｋ（ｍｉｎ）＋１及び５ａｋ（ｍａｘ）−１と電極５ｂｋ（ｍｉｎ）＋１及び５ｂｋ（ｍａｘ）−１を選択することにより、各々１電極分内側の電極を選択させることができる。」
（引１ｄ）図１は、以下のようなものである。
（引１ｅ）図２は、以下のようなものである。
（引１ｆ）図５は、以下のようなものである。
（引１ｇ）図６は、以下のようなものである。
（２）引用文献１の記載から把握できる事項
ア　【００６６】段落の「接触が検出された電極」は、「被験体の足裏に接触している電極を検出する検出手段」により検出された電極を指すことは明らかであるから、「足裏との接触が検出された電極」と読み替える。
イ　【００７２】段落の「前述と同様にして」は、【００７１】段落の「前記１接触群として検出された電極の内」との記載を省略することを含むことは明らかであるから、「前記１接触群として検出された電極の内」と読み替える。
（３）引用文献１に記載された発明
　上記（引１ａ）ないし（引１ｃ）の下線部の記載及び上記（２）の事項を総合すると、引用文献１には、次の発明（以下、「引用発明」という。）が記載されている。
　なお、引用発明の認定の根拠となった対応する段落番号等を付記した。
「人を被験体とし、前記被験体の足裏に電極を接触させて生体インピーダンスを測定するインピーダンス測定装置であって、前記被験体に応じて接触状態の異なる複数の電極から成る電極群と、前記複数の電極の内、被験体の足裏に接触している電極を検出する検出手段とを有し（【００１１】）、
　前記左足側電極群５ａ及び右足側電極群５ｂを構成する各ｎ個の電極が各々独立に、インピーダンス測定又は後述する電極の検出において電極特性を切り替える切替部１１を介して制御部１２に接続され（【００４０】）、
　４電極法を用いたインピーダンス測定が成され（【００４９】）、
　左足側電極群５ａ及び右足側電極群５ｂの各々において、足裏との接触が検出された電極の内、隣り合う電極が連続して検出された１群を１接触群として（【００６６】、上記（２）ア）、
　左足側電極群５ａにおいて、前記１接触群として検出された電極の内、両端の電極５ａｋ（ｍｉｎ）及び５ａｋ（ｍａｘ）を、爪先側及び踵側に接触している電極と見なして記憶部１７より読み込み、前記制御部１２により切替部１１を制御し、電極５ａｋ（ｍｉｎ）を電流印加部１３に接続し、電極５ａｋ（ｍａｘ）を電圧測定部１４に接続して左足側の電極を設定し（【００７１】）、
　右足側電極群５ｂにおいても、前記１接触群として検出された電極の内、５ｂｋ（ｍｉｎ）を爪先側に接触している電極として電流印加部１３に接続し、５ｂｋ（ｍａｘ）を踵側に接触している電極として電圧測定部１４に接続し、インピーダンス測定電極を設定する（【００７２】、上記（２）イ）、
　インピーダンス測定装置（【００１１】）」
３　対比・判断
（１）対比
ア　Ａ）、Ｇ）について
　引用発明の「生体インピーダンスを測定するインピーダンス測定装置」は、本願発明の「生体インピーダンス測定装置」に相当する。
イ　Ｂ）について
　引用発明の「複数の電極から成る電極群」は、「前記被験体の足裏に電極を接触させて生体インピーダンスを測定する」ための「電極」であるから、本願発明の「生体インピーダンス測定のための複数の電極」に相当する。
ウ　Ｃ）について
　引用発明における「インピーダンス測定」は、「１接触群」のうちの「両端の電極」である「５ａｋ（ｍｉｎ）」「５ａｋ（ｍａｘ）」「５ｂｋ（ｍｉｎ）」及び「５ａｋ（ｍａｘ）」を、それぞれ「電流印加部１３」及び「電圧測定部１４」のいずれかに接続して、「４電極法」を用いて行なわれるものである。
　してみれば、引用発明における「インピーダンス測定」の際に、「１接触群」のうちの「５ａｋ（ｍｉｎ）」と「５ａｋ（ｍａｘ）」との間の電極及び「５ｂｋ（ｍｉｎ）」と「５ｂｋ（ｍａｘ）」との間の電極は、「電流印加部１３」にも「電圧測定部１４」にも接続されないことは明らかである。
　したがって、引用発明における「切替部１１」は、「電極」を「電流印加部１３に接続」するか「電圧測定部１４に接続」するかの２者択一的なものではなく、「電極」を「電流印加部１３に接続」したり、「電圧測定部１４に接続」したりする以外に、「電流印加部１３」にも「電圧測定部１４」にも接続されない状態とすることもできるものである。
　そして、引用発明の「電極」を「電流印加部１３」にも「電圧測定部１４」にも接続されない状態とすることは、本願発明の「電極を」「オープン」することに相当するといえる。
　したがって、引用発明の「切替部１１」は、「電極」を「電流印加部１３に接続」したり、「電圧測定部１４に接続」したり、「電流印加部１３」にも「電圧測定部１４」にも接続されない状態にしたりするものであるから、本願発明の「前記複数の電極のうち少なくとも一部の電極を電流電極にスイッチングしたり、電圧電極にスイッチングしたり、オープンしたりするスイッチ」に相当する。
エ　Ｄ）について
　引用発明の「制御部１２」は、「切替部１１を制御」するものであるから、本願発明の「前記スイッチの動作を制御する制御部」に相当する。
オ　Ｅ）について
　引用発明の「１接触群として検出された電極」は、本願発明の「前記複数の電極のうち身体と接触している電極」に相当する。
　そして、引用発明の「左足側電極群５ａにおいて、前記１接触群として検出された電極の内、両端の電極５ａｋ（ｍｉｎ）及び５ａｋ（ｍａｘ）を、爪先側及び踵側に接触している電極と見なして記憶部１７より読み込み、前記制御部１２により切替部１１を制御し、電極５ａｋ（ｍｉｎ）を電流印加部１３に接続し、電極５ａｋ（ｍａｘ）を電圧測定部１４に接続して左足側の電極を設定し、右足側電極群５ｂにおいても、前記１接触群として検出された電極の内、５ｂｋ（ｍｉｎ）を爪先側に接触している電極として電流印加部１３に接続し、５ｂｋ（ｍａｘ）を踵側に接触している電極として電圧測定部１４に接続し、インピーダンス測定電極を設定する」ことは、本願発明の「前記複数の電極のうち身体と接触している電極をどのように使用するかを判断」することに相当する。
カ　上記ア−オから、引用発明と本願発明とは、以下の一致点で一致し、以下の相違点で相違する。
＜一致点＞
「生体インピーダンス測定装置であって、
　前記装置が、生体インピーダンス測定のための複数の電極と、
　前記複数の電極のうち少なくとも一部の電極を電流電極にスイッチングしたり、電圧電極にスイッチングしたり、オープンしたりするスイッチと、
　前記スイッチの動作を制御する制御部と、を含み、
　前記複数の電極のうち身体と接触している電極をどのように使用するかを判断する
　生体インピーダンス測定装置。」
＜相違点＞
（相違点１）
　本願発明は、「前記制御部は前記身体と接触していない電極をオープンするように前記スイッチを動作する」するのに対して、引用発明は、足裏と接触していない電極についての特定がない点。
（２）判断
ア　相違点１について
　引用発明において、「制御部１２により」「制御」される「切替部１１」には、「左足側電極群５ａ及び右足側電極群５ｂを構成する各ｎ個の電極」の全てが「各々独立に」接続されている。
　また、引用文献１の図６（（引１ｇ））から、「電極５ａｋ（ｍｉｎ）」及び「電極５ａｋ（ｍａｘ）」の外側、「電極５ｂｋ（ｍｉｎ）」及び「電極５ｂｋ（ｍａｘ）」の外側には、足裏と接触していない電極が存在しうることは自明である。
　そして、上記（１）ウで検討したように、引用発明における「切替部１１」は、「電流印加部１３」にも「電圧測定部１４」にも接続されない状態とすることもできるものである。
　電気的計測一般において、測定に関与しない電極がある場合、ノイズの抑制等のため、その電極を計測用端子や電源端子に接続しないことは、普通に設計されることである。
　したがって、引用発明において、インピーダンス測定に関与しない、足裏が接触していない電極を、インピーダンス測定におけるノイズの混入の抑制のため、「電流印加部１３」にも「電圧測定部１４」にも接続されない状態、すなわち「オープン」することは、当業者であれば容易に想到しうることである。
イ　本願発明の効果について
　本願発明の効果は、引用発明から当業者が予測しうる範囲内のものにすぎず、格別顕著なものではない。
ウ　小括
　上記ア−イから、本願発明は、引用発明に基づいて当業者が容易に発明をすることができたものである。
４　むすび
　以上のとおり、本願発明は、特許法第２９条第２項の規定により特許を受けることができないから、他の請求項に係る発明について検討するまでもなく、本願は拒絶されるべきである。
　よって、結論のとおり審決する。